(57)【特許請求の範囲】
【請求項１】
エンジンのためのデコンプ装置を有したカムシャフト（１）であって、
回転により吸排気バルブと動作的に連係させることのできるカム（３）のベース円（２）内にバルブリフタ（４）が回転自在に支承されており、
バルブリフタは、カムシャフト（１）に対して同軸に設けられた回転自在に支承されたフライウェイト（５）と動作的に連係していることで、カムシャフト（１）が所定の回転数を超えるとバルブリフタ（４）が吸排気バルブとの動作領域にベース円（２）の輪郭を形成するようになるカムシャフトにおいて、
カムシャフト（１）が、潤滑剤の圧力を加えることのできる空室（６）をフライウェイト（５）の領域に有し、
カムシャフト（１）内には、半径方向の第一穴部（７）が空室（６）からフライウェイト（５）に向けて設けられており、
第一穴部（７）内に潤滑剤の圧力により動かすことのできるスライド移動自在の部材（８）が設けられていることを特徴とするカムシャフト。
【請求項２】
請求項１に記載のカムシャフトにおいて、空室（６）は、カムシャフト（１）の軸受部（９）の第二穴部（１５）を介して潤滑剤が供給可能とされていることを特徴とするカムシャフト。
【請求項３】
請求項１または２に記載のカムシャフトにおいて、前記部材（８）は、バネ部材（１０）の弾発力に抗して潤滑剤によりフライウェイト（５）に向かって移動可能とされていることを特徴とするカムシャフト。
【請求項４】
請求項１から３のいずれか一項に記載のカムシャフトにおいて、フライウェイト（５）は、前記部材（８）のためのストッパ（１１）を有していることを特徴とするカムシャフト。
【請求項５】
請求項１から４のいずれか一項に記載のカムシャフトにおいて、前記部材（８）は、ニードルローラであることを特徴とするカムシャフト。
【請求項６】
請求項１から５のいずれか一項に記載のカムシャフトにおいて、カムシャフト（１）は、エキゾーストカムシャフトであることを特徴とするカムシャフト。
【請求項７】
請求項１から６のいずれか一項に記載のカムシャフトを有するエンジン。
【発明の詳細な説明】
【技術分野】
【０００１】
本発明は、請求項１の前提部に記載の特徴を持つデコンプ装置を有したカムシャフトに関する。
【背景技術】
【０００２】
デコンプ装置（減圧装置）（Ｄｅｋｏｍｐｒｅｓｓｉｏｎｓｖｏｒｒｉｃｈｔｕｎｇ）付きカムシャフトに先行したのはデコンプレバー（Ｄｅｋｏｍｐｒｅｓｓｉｏｎｓｈｅｂｅｌ）であった。デコンプレバーは、より始動し易くするために筒内圧を下げるべく、特に単気筒２サイクルエンジンではシリンダヘッドにおけるいわゆる分離型のデコンプバルブを操作し、或いは４サイクルエンジンでは一または複数の排気バルブを開放する。この場合、デコンプレバーは、バルブ開放レバー（Ｖｅｎｔｉｌａｕｓｈｅｂｅｒ−Ｈｅｂｅｌ）とも称される。デコンプバルブは、エンジンの始動時にガスの一部をシリンダから逃がす。こうすることで、始動時にエンジンを空転するのに必要な力がかなり低減される。とりわけ、この種のデコンプ装置は古い自動車（特にオートバイ、原付バイク）の単気筒エンジンに使われ、時に小型車やディーゼル単気筒エンジン付きのトラクタでも用いられる。
【０００３】
例えば、特許文献１よりエンジン用オートデコンプ装置が公知である。それは、エンジンのカムシャフトとともに回転するフライウェイトを有するデコンプ装置であって、フライウェイトがプランジャリフト部材（Ｓｔｏｅｓｓｅｌ−Ａｕｓｈｅｂｅｅｌｅｍｅｎｔ）を有し、このプランジャリフト部材が、低カムシャフト回転数時と停止状態時のスイングバック状態でバルブプランジャのカム接触面領域に突き出していて、バルブプランジャをバルブ開方向に移動させ、回転数増加時にスイングアウトするフライウェイトによりプランジャリフト部材がタペットのカム接触面との係合から外れた状態にされるというデコンプ装置である。
【０００４】
さらに、特許文献２より、少なくとも一つの排気および吸気バルブを有するエンジン、特に単気筒ディーゼルエンジンのためのオートデコンプが公知とされており、このオートデコンプは、少なくとも一つのカムを有するカムシャフトによって制御され、エンジンの始動時における回転開始抵抗を減らすために排気バルブが通気される。オートデコンプは、減圧から圧縮に切り替えるためのスイッチング回転数未満で排気バルブを通気するために、完全自動型の、排気バルブのカムに係合するリフタ装置（持ち上げ装置）（Ａｕｓｈｅｂｅｖｏｒｒｉｃｈｔｕｎｇ）を有し、この装置が、弁座から排気バルブを外す働きをする。
【０００５】
本発明に関連するさらに他のデコンプ装置付きカムシャフトが例えば特許文献３から公知とされている。
【０００６】
これらの公知のデコンプ装置における欠点は、減圧機能が偶発的なクリック音を発生させる可能性があることであり、これがエンジンの騒音排出に関して不利に働く。このクリック音は、デコンプ装置の不安定なフライウェイトに起因するものである。
【先行技術文献】
【特許文献】
【０００７】
【特許文献１】独国特許出願公開第４２２１３９４号明細書
【特許文献２】独国特許出願公開第１９６３６８１１号明細書
【特許文献３】欧州特許出願公開第０４０７６９９号明細書
【発明の概要】
【発明が解決しようとする課題】
【０００８】
本発明の課題は、耳障りなデコンプ装置のクリック音を無くす或いは少なくとも減らす手段を提供することである。
【課題を解決するための手段】
【０００９】
この課題は、請求項１の特徴部に記載の特徴により解決される。
【００１０】
カムシャフト内に組み込まれたスライド移動自在の部材に、潤滑回路から潤滑剤が供給される。エンジンがかかるとすぐに、このスライド移動自在の部材は遠心力によって半径方向外側に動かされる。同時に、スライド移動自在の部材は、潤滑剤の圧力によって支えられ、所望の位置に留まり、フライウェイトを外側に押す。このとき、フライウェイトは安定して開角位置（外方旋回位置）に保持され、本発明によればもはやクリック音が引き起こされることがない。従って、本発明に係る減圧機能の実施形態によりクリック音は防止されており、不快なエンジン騒音は発生しない。
【００１１】
本発明のさらに有利な発展形態は従属請求項に記載されている。
【００１２】
請求項２に係る実施形態を用いることで、スライド移動自在の部材をフライウェイト方向に押すのに十分な潤滑剤圧力を有する潤滑剤が常に十分存在することが保証される。
【００１３】
請求項３に記載の手段は、デコンプ装置の全般的な安定化に役立つ。
【００１４】
請求項４および５に記載の実施形態は、好ましい実施変形例である。
【００１５】
請求項６に記載の実施形態は、特に好ましい実施変形例である。
【００１６】
好ましくは、本発明による請求項７に記載のカムシャフトは、エンジンに組み込まれる。
【００１７】
以下、三つの図を参照して、本発明をより詳細に説明する。
【図面の簡単な説明】
【００１８】
【図１】本発明によるカムシャフトを立体的に示す図である。
【図２】本発明によるカムシャフトの側面図である。
【図３】図２のＡ−Ａ線断面図である。
【発明を実施するための形態】
【００１９】
以下に、図１乃至３において同一の部材には同一の符号を付すものとする。
【００２０】
図１は、エンジン用のデコンプ装置付きのカムシャフト１を立体的に示す図である。カムシャフトは、それぞれベース円（短径部）２を持つ二つのカム３を有している。不図示の吸排気バルブとベース円２が動作的に連係している間は、吸排気バルブは閉じられている。それぞれのカム３は、吸排気バルブと直接的に又は間接的に不図示のバルブタペットを介して若しくはスイング・アーム式やシーソー式のロッカーアームを介して動作的に連係しており、カムシャフト１が回転することで、つまりはカム３も回転することで、吸排気バルブが操作可能になっている。
【００２１】
一方のカム３のベース円２には、バルブリフタ（弁持上げ体）４（Ｖｅｎｔｉｌｈｅｂｅｒ）が回転自在に支承されている。このバルブリフタは、カムシャフト１に対して同軸に配置されて回転自在に支承されたフライウェイト５と動作的に連係しており、カムシャフト１が所定回転数を超えてバルブリフタ４がフライウェイト５によって回されると、バルブリフタ４がベース円２の輪郭を呈するようになっている。これは、カムシャフト１が所定回転数を超えるとバルブリフタ４がほとんど働かない状態になり、吸排気バルブが全く正常に閉じたままになることを意味する。
【００２２】
エンジンのスタート時若しくは規定回転数より低い回転数のときには、図３から分かるように、フライウェイトはバネ部材１０によって一姿勢位置に押さえられ、これによってバルブリフタ４が僅かに盛り上がった輪郭（０．１〜１．０ｍｍ）でカム３のベース円２よりも上に突出するようになっている。従って、吸排気バルブは、エンジンの始動から規定回転数まで、通常であれば閉鎖される位相にある間も僅かに開放され、これがエンジンのシリンダ内の減圧をもたらす。これにより、エンジンを遥かに容易に始動させることができる。
【００２３】
本発明によるデコンプ装置付きのカムシャフト１は、当該カムシャフト１が、潤滑剤による圧力（潤滑剤圧）を加えることのできる空室６（図２および図３）をフライウェイト５の領域に有しており、カムシャフト１には、フライウェイト５の領域に空室６からの半径方向の第一穴部７が設けられており、この第一穴部７の中に、潤滑剤圧によって動かすことができるスライド移動自在の部材８が配置されていることを特徴とする。
【００２４】
本実施形態では、カム３は、それぞれ軽量化のための凹部１２を有している。
【００２５】
図２は、本発明によるデコンプ装置付きのカムシャフト１を側面視して示している。図２には、カム３のベース円側から視たカムシャフト１が示されている。看取できるのは、ここでもカム３の凹部１２である。カム３同士の間には軸受部９が設けられており、そこに第三穴部１５が設けられており、この第三穴部が空室６につながっている。エンジンが動いているときには、カムシャフト１を回転させて空室６に第三穴部１５を介して潤滑剤を供給し、これにより空室６内に正圧が生じて、この圧力がスライド移動自在の部材８を第一穴部７内で半径方向外側に向かって押す。上記空室６は、例えばカムシャフト１を貫く軸線方向の穴部により形成することができる。この穴部は、カムシャフト１の端部において両側が閉鎖される。この閉鎖は、例えば封止蓋体によって、或いはカムシャフト端部において穴部に螺入されるネジによってなされるのでもよい。こうして、空室６を閉鎖することにより、空室６内に潤滑剤の圧力を蓄えて、スライド移動自在の部材８を所望の半径方向外側の開角位置に保持することができる。
【００２６】
図２には、Ａ−Ａ線断面がスライド移動自在に設けられた部材８を通って紙面に垂直に描かれており、これが図３に示されている。
【００２７】
図３は、スライド移動自在の部材８とデコンプ装置とを通る図２のＡ−Ａ線断面を示す。図３の中心に空室６が看取でき、第一穴部７内のスライド移動自在の部材８がその中に突き出ている。フライウェイト５は、回転軸１４上に回転自在に支承されている。規定回転数を超えてからのカムシャフト１の回転時におけるフライウェイト５の回転方向が矢印により図示されており、それに連動したバルブリフタ４の回動も同じように示されている。同時に、スライド移動自在の部材８は、フライウェイト５のストッパ１１上に当接している。
【００２８】
バネ部材１０は、押圧部材１３を介し、カムシャフト１の停止状態において回転軸１４を軸にしてフライウェイト５を押し、ストッパ１１がスライド移動自在の部材８に当たっている。バネ部材１０と反対の側では、フライウェイト５は、バルブリフタ４と動作的に連係している。図３に示された状態、つまり、エンジンの停止状態では、バルブリフタ４は、カム３のベース円２の領域では、シリンダを減圧するためにバルブリフタがベース円２よりも０．１ｍｍ〜１．０ｍｍほど突出するように形成されている。
【００２９】
エンジンがかけられると、空室６内では潤滑剤の圧力が発生し、それと同時にスライド移動自在の部材８を同じく半径方向外側に押圧する潤滑剤の圧力に支えられてフライウェイト５が半径方向外側に回転する。このとき、フライウェイト５は、矢印に従って時計回りに回転してバルブリフタ４を回すことで、バルブリフタがベース円２においてベース円２そのものと同じ輪郭をとるようにする。こうして、規定回転数を超えた後は、減圧が確実に回避される。
【００３０】
図３に示されているように、部材８は、好ましくは、バネ部材１０の弾発力に抗して潤滑剤によりフライウェイト５の方に動かすことができる。さらに、フライウェイト５は、好ましくは、スライド移動自在の部材８のためのストッパ１１を有する。さらに好ましい実施形態では、部材８はニードルローラである。デコンプ装置を有したカムシャフト１は、エンジンの動弁装置のエキゾーストカムシャフトとして特に好適に用いられる。
【００３１】
言い換えると次のようになる：
【００３２】
カムシャフト１内に組み込まれたスライド移動自在の部材８には、潤滑回路の潤滑剤が供給される。エンジンがかけられるとすぐに、スライド移動自在の部材８（好適にはニードルローラ）は、空室６内に形成された潤滑剤の圧力によって半径方向外側に向かって動かされる。エンジンがかけられるとすぐに、スライド移動自在の部材８は、遠心力によって半径方向外側に向かって動かされる。それと同時に、スライド移動自在の部材８は、空室６内の潤滑剤の圧力によって支えられ、所望の半径方向外側の位置にとどまる。このとき、フライウェイト５は、安定して開角位置に保持され、音が気になることにはもはやならない。つまり、これは、本発明による方法ではデコンプ装置のクリック音がないということ、従って不快なエンジンの騒音がないということを意味する。
【符号の説明】
【００３３】
１    カムシャフト
２    ベース円
３    カム
４    バルブリフタ
５    フライウェイト
６    空室
７    第一穴部
８    部材
９    軸受部
１０  バネ部材
１１  ストッパ
１２  凹部
１３  押圧体
１４  回転軸
１５  第二穴部
【図１】
0006391199.tif 000002
【図２】
0006391199.tif 000003
【図３】
0006391199.tif 000004